(57)【要約】  【課題】  浴槽内に設けられた昇降台の昇降ストロークを容易且つ確実に変更することができる昇降式入浴装置を提供する。  【解決手段】  浴槽内に昇降台２が上下動可能に支持された昇降式入浴装置１であって、浴槽の底面Ｆに少なくとも一部が埋設されるシリンダ１０と、シリンダ１０に上下動可能に収容された筒状の第１のピストン２０と、第１のピストン２０に上下動可能に収容され昇降台２を支持する第２のピストン３０とを備え、シリンダ１０は、下端を閉塞する基部１２と、基部１２から上端に向けて延びる筒状の連通ロッド１３とを備え、第１のピストン２０は、下端を閉塞する底部２２を備え、底部２２に形成された貫通孔２２ａを連通ロッド１３が貫通することにより連通ロッド１３に沿って摺動可能であり、シリンダ１０内を外部と連通する第１の連通路１４と、連通ロッド１３を介して第１のピストン２０内を外部と連通する第２の連通路１５とを更に備える。【選択図】  図２
2020005783.tif 000002
【特許請求の範囲】
【請求項１】
浴槽内に昇降台が上下動可能に支持された昇降式入浴装置であって、
浴槽の底面に少なくとも一部が埋設されるシリンダと、
前記シリンダに上下動可能に収容された筒状の第１のピストンと、
前記第１のピストンに上下動可能に収容され昇降台を支持する第２のピストンとを備え、
前記シリンダは、下端を閉塞する基部と、前記基部から上端に向けて延びる筒状の連通ロッドとを備え、
前記第１のピストンは、下端を閉塞する底部を備え、前記底部に形成された貫通孔を前記連通ロッドが貫通することにより、前記連通ロッドに沿って摺動可能であり、
前記シリンダ内を外部と連通する第１の連通路と、前記連通ロッドを介して前記第１のピストン内を外部と連通する第２の連通路とを更に備える昇降式入浴装置。
【請求項２】
前記第２のピストンは、前記連通ロッドを収容可能となるように筒状に形成され、上端が閉塞されている請求項１に記載の昇降式入浴装置。
【請求項３】
前記第１の連通路および第２の連通路は、それぞれ第１の三方弁および第２の三方弁を介して作動水供給源に接続されており、
前記第１の三方弁および第２の三方弁を給水側に切り替えることにより、前記作動水供給源から前記シリンダおよび前記第１のピストンにそれぞれ作動水が供給され、
前記第１の三方弁および第２の三方弁を排水側に切り替えることにより、前記シリンダおよび前記第１のピストンから作動水が排出される請求項１または２に記載の昇降式入浴装置。
【請求項４】
前記第２の連通路は、前記第２の三方弁を介して補水タンクに接続されており、
前記第２の三方弁を排水側に切り替えることにより、前記第１のピストン内が前記補水タンクに連通されて前記第１のピストン内に補水可能となる請求項３に記載の昇降式入浴装置。
【発明の詳細な説明】
【技術分野】
【０００１】
本発明は、昇降式入浴装置に関し、より詳しくは、車椅子を搭載して昇降可能な昇降台を備えた昇降式入浴装置に関する。
【背景技術】
【０００２】
従来の昇降式入浴装置として、例えば、特許文献１に開示された構成が知られている。この昇降式入浴装置は、水圧シリンダのプランジャ先端に取り付けられた昇降台が浴槽内を上下動するように構成されており、昇降台を上昇位置まで上昇させて車椅子を搭載した後、昇降台を下降位置まで下降させることにより、入浴者が入浴することができる。
【先行技術文献】
【特許文献】
【０００３】
【特許文献１】特開平７−３１６５７号公報
【発明の概要】
【発明が解決しようとする課題】
【０００４】
上記従来の昇降式入浴装置は、昇降台を上下動させるプランジャのストロークが一定であるため、例えば、入浴者の姿勢に応じて入浴高さを変える等のニーズに対応できないという問題があった。
【０００５】
そこで、本願発明は、浴槽内に設けられた昇降台の昇降ストロークを容易且つ確実に変更することができる昇降式入浴装置の提供を目的とする。
【課題を解決するための手段】
【０００６】
本発明の前記目的は、浴槽内に昇降台が上下動可能に支持された昇降式入浴装置であって、浴槽の底面に少なくとも一部が埋設されるシリンダと、前記シリンダに上下動可能に収容された筒状の第１のピストンと、前記第１のピストンに上下動可能に収容され昇降台を支持する第２のピストンとを備え、前記シリンダは、下端を閉塞する基部と、前記基部から上端に向けて延びる筒状の連通ロッドとを備え、前記第１のピストンは、下端を閉塞する底部を備え、前記底部に形成された貫通孔を前記連通ロッドが貫通することにより、前記連通ロッドに沿って摺動可能であり、前記シリンダ内を外部と連通する第１の連通路と、前記連通ロッドを介して前記第１のピストン内を外部と連通する第２の連通路とを更に備える昇降式入浴装置により達成される。
【０００７】
この昇降式入浴装置において、前記第２のピストンは、前記連通ロッドを収容可能となるように筒状に形成され、上端が閉塞されていることが好ましい。
【０００８】
前記第１の連通路および第２の連通路は、それぞれ第１の三方弁および第２の三方弁を介して作動水供給源に接続することが可能であり、前記第１の三方弁および第２の三方弁を給水側に切り替えることにより、前記作動水供給源から前記シリンダおよび前記第１のピストンにそれぞれ作動水が供給され、前記第１の三方弁および第２の三方弁を排水側に切り替えることにより、前記シリンダおよび前記第１のピストンから作動水が排出されるように構成することができる。
【０００９】
前記第２の連通路は、前記第２の三方弁を介して補水タンクに接続されていることが好ましく、前記第２の三方弁を排水側に切り替えることにより、前記第１のピストン内が前記補水タンクに連通されて前記第１のピストン内に補水可能となるように構成することができる。
【発明の効果】
【００１０】
本発明によれば、浴槽内に設けられた昇降台の昇降ストロークを容易且つ確実に変更することができる昇降式入浴装置を提供することができる。
【図面の簡単な説明】
【００１１】
【図１】本発明の一実施形態に係る昇降式入浴装置の要部を示す縦断面図である。
【図２】図１に示す昇降式入浴装置の作動状態の一例を示す縦断面図である。
【図３】図１に示す昇降式入浴装置の全体構成図である。
【図４】図１に示す昇降式入浴装置の作動状態の他の例を示す縦断面図である。
【図５】図１に示す昇降式入浴装置の使用例を説明するための側面図である。
【図６】図１に示す昇降式入浴装置の他の使用例を説明するための側面図である。
【図７】図１に示す昇降式入浴装置の更に他の使用例を説明するための側面図である。
【発明を実施するための形態】
【００１２】
以下、本発明の実施の形態について、添付図面を参照して説明する。図１は、本発明の一実施形態に係る昇降式入浴装置の要部を示す縦断面図であり、図２は、図１に示す昇降式入浴装置の作動状態の一例を示す縦断面図である。図１および図２に示すように、昇降式入浴装置１は、シリンダ１０と、シリンダ１０に上下動可能に収容された筒状の第１のピストン２０と、第１のピストン２０に上下動可能に収容された第２のピストン３０とを備えており、入浴者を乗せた車椅子等が搭載される昇降台２が、第２のピストン３０により支持されている。
【００１３】
シリンダ１０は、中空筒状に形成された本体１１の下端が基部１２により閉塞されて構成されている。本体１１の内部には、基部１２の中央から上端に向けて延びる中空筒状の連通ロッド１３が設けられている。本体１１の上部外周にはフランジ部１６が設けられており、本体１１のフランジ部１６よりも下方部分が浴槽の底面Ｆに形成されたピット内に埋設された状態で、フランジ部１６がボルト等により床面Ｆに固定される。
【００１４】
シリンダ１０の肉厚部分には、第１の連通路１４および第２の連通路１５が形成されている。第１の連通路１４の一端側は、本体１１の側面におけるフランジ部１６よりも上方に開口して第１の連通口１４ａが形成されている。第１の連通路１４の他端側は、基部１２の上面に開口しており、シリンダ１０の内部空間Ｓ１が第１の連通路１４を介して外部と連通されている。
【００１５】
第２の連通路１５の一端側は、本体１１の側面におけるフランジ部１６よりも上方に開口して第２の連通口１５ａが形成されている。第２の連通路１５の他端側は、連通ロッド１３を介して連通ロッド１３の上端１５ｂに開口しており、第２のピストン２０の内部空間Ｓ２が、第２の連通路１５を介して外部と連通されている。
【００１６】
第１のピストン２０は、中空筒状に形成された本体２１の下端が底部２２により閉塞されて構成されている。底部２２の中央には貫通孔２２ａが形成されており、貫通孔２２ａを連通ロッド１３が貫通している。貫通孔２２ａの内周面にはシール部材４１が設けられており、第１のピストン２０が連通ロッド１３に沿って液密に摺動する。また、シリンダ１０の内周面および第１のピストン２０の外周面にもそれぞれシール部材４２，４３が設けられており、第１のピストン２０がシリンダ１０の内面に沿って液密に摺動する。第１のピストン２０のストロークは、シリンダ１０の内面上部および第１のピストン２０の外面下部にそれぞれ形成されて互いに係合可能な段部間の距離により規定される。このストロークは、段部間に介在されるカラー４６の高さを調整することにより、所望の大きさに設定することができる。
【００１７】
第２のピストン３０は、中空筒状に形成された本体３１の上端がキャップ３２により閉塞されて構成されており、本体３１の内部に連通ロッド１３を収容可能とされている。キャップ３２は昇降台２の下面中央に取り付けられている。第１のピストン２０の内周面および第２のピストン３０の外周面にはそれぞれシール部材４４，４５が設けられており、第２のピストン３０が第１のピストン２０の内面に沿って液密に摺動する。第２のピストン３０のストロークは、第１のピストン２０の内面上部および第２のピストン３０の外面下部にそれぞれ形成されて互いに係合可能な段部間の距離により規定される。このストロークは、段部間に介在されるカラー４７の高さを調整することにより、所望の大きさに設定することができる。
【００１８】
上記の構成を備える昇降式入浴装置１は、図１に示す状態から、加圧された作動水を第１の連通口１４ａおよび第２の連通口１５ａに導入すると、シリンダ１０の内部空間Ｓ１および第１のピストン２０の内部空間Ｓ２に作動水が供給されて、図２に示すように第１のピストン２０および第２のピストン３０の双方が押し上げられ、昇降台２が上昇する。作動水の供給は、第１の連通口１４ａまたは第２の連通口１５ａの一方のみとして、第１のピストン２０または第２のピストン３０の一方のみを駆動することもできる。
【００１９】
図３は、昇降式入浴装置１の全体構成図である。図３に示すように、シリンダ１０の第１の連通口１４ａは、第１の給水管５１により、開閉弁５２、第１の三方弁５３、開閉弁５４および加圧ポンプ５５を介して、水道管や貯水タンク等の作動水供給源に接続されており、第１の三方弁５３を給水側に切り替えることにより、加圧された水道水等の作動水が供給される。第１の三方弁５３は、排水側に切り替えることにより、第１の連通口１４ａを排水管５９に連通し、シリンダ１０内の作動水を排水管５９から排出することができる。
【００２０】
シリンダ１０の第２の連通口１５ａには、第２の給水管５６の一方側が接続されている。第２の給水管５６には、開閉弁５７および第２の三方弁５８が介在されており、第２の給水管５６の他方側は、第１の三方弁５３と開閉弁５４との間で第１の給水管５１に接続されている。第２の三方弁５８を給水側に切り替えることにより、作動水供給源から加圧された作動水が第２の連通口１５ａに供給される。第２の三方弁５８は、接続管６０により補水タンク６１を介して排水管５９に接続されており、排水側に切り替えることにより、第２の連通口１５ａを、補水タンク６１を介して排水管５９に連通し、第１のピストン２０内の作動水を排水管５９から排出することができる。補水タンク６１には作動水が常時貯留されており、第２の三方弁５８が排水側に切り替えられた状態で、第１のピストン２０内に補水することができる。第１の三方弁５３、第２の三方弁５８および開閉弁５２，５４，５７は、操作ボックス７０内に設けられている。
【００２１】
上記の構成を備える昇降式入浴装置１は、第１のピストン２０のみを上昇させたい場合に、開閉弁５２，５４，５７を開放した状態で、第１の三方弁５３を給水側に切り替えると共に、第２の三方弁５８を排水側に切り替える。これにより、図４（ａ）に示すように、第１の連通路１４からシリンダ１０内に作動水が供給され、シリンダ１０内を第１のピストン２０が上昇する。第２のピストン３０は、第１のシリンダ２０との相対的な位置関係を変えないまま、第１のシリンダ２０と共に上昇する。
【００２２】
第１のピストン２０の上昇に伴い、第１のピストン２０内への連通ロッド１３の突出量が少なくなるため、第１のピストン２０の内部空間Ｓ２の体積は徐々に大きくなる。これにより、図３に示す補水タンク６１から第２の連通路１５を介して第１のピストン２０内に作動水が補給される。このように、第１のピストン２０の上昇時に第１のピストン２０内に補水可能に構成することで、第１のピストン２０の内部が負圧になることが防止され、第１のピストン２０を確実に上昇させることができる。
【００２３】
第１のピストン１０を下降させる場合には、図３に示す第１の三方弁５３を給水側から排水側に切り替えることにより、第１の連通路１４および第２の連通路１５の双方が排水管５９に連通されるため、図４（ｂ）に示すように、昇降板２の自重によりシリンダ１０の内部空間Ｓ１および第１のピストン２０の内部空間Ｓ２からの作動水の排出を促して、第１のピストン１０をスムーズに下降させることができる。
【００２４】
第２のピストン３０のみの上下動は、第１の三方弁５３を排水側に切り替えた状態を維持したまま、第２の三方弁５８を操作して行うことができる。また、第１の三方弁５３および第２の三方弁５８を同時に給水側に切り替えることにより、第１のピストン２０および第２のピストン３０を同時に上昇させることができ、第１の三方弁５３および第２の三方弁５８を同時に排水側に切り替えることにより、第１のピストン２０および第２のピストン３０を同時に下降させることができる。
【００２５】
このように、本実施形態の昇降式入浴装置１は、第１の三方弁５３および第２の三方弁５８の操作により、第１のピストン２０および第２のピストン３０を個別または同時に上下動させることができるので、従来は一定であった昇降台２の昇降ストロークを、利用者のニーズに合わせて容易且つ確実に変更することができる。
【００２６】
例えば、図５（ａ）に示すように、第１のピストン２０および第２のピストン３０が上昇位置にある場合に、昇降台２が浴槽Ｂの上端と面一となるように構成し、入浴者ＵをストレッチャーＳに寝た状態で昇降台２に搭載した後、第１のピストン２０のみを下降位置に下降させることにより、図５（ｂ）に示すように、入浴者Ｕを寝浴に適した入浴高さに維持することができる。
【００２７】
一方、図６（ａ）に示すように、入浴者Ｕが車椅子Ｗに座った状態で昇降台２に搭載される場合には、第１のピストン２０および第２のピストン３０の双方を下降位置まで下降させることにより、図６（ｂ）に示すように、入浴者Ｕを座浴に適した入浴高さに維持することができる。
【００２８】
このように、本実施形態の昇降式入浴装置１は、入浴者の姿勢に応じて入浴高さを容易且つ確実に変更することができる。但し、昇降式入浴装置１は、このような入浴高さを変更する場合にのみ用いられるものではなく、種々のバリエーションが可能である。
【００２９】
例えば、第１のピストン２０が上昇位置にあり、第２のピストン３０が下降位置にある状態で、昇降台２が浴槽の上端と面一になるように構成し、この状態から第２のピストン３０を上昇位置まで上昇させることにより、昇降台２を浴槽の上方に退避可能に構成してもよい。この構成によれば、利用者の入浴は、第１のピストン２０の上下動のみによって行うことができる一方、浴槽を清掃する場合には、図７（ａ）に示すように、矩形板状に形成されて第２のピストン３０に回動自在に支持された昇降台２を、第２のピストン３０の駆動により上昇させて浴槽Ｂの上方に退避させた後、図７（ｂ）に示すように、昇降台２を浴槽Ｂの上方で回動させて向きを変えることにより、浴槽Ｂの上端縁部と昇降台２との間に形成された隙間から作業者が浴槽Ｂ内に入り込んで、浴槽Ｂの底面等を容易に洗浄することができる。
【符号の説明】
【００３０】
１  昇降式入浴装置
２  昇降台
１０  シリンダ
１２  基部
１３  連通ロッド
１４  第１の連通路
１５  第２の連通路
２０  第１のピストン
２２  底部
２２ａ  貫通孔
３０  第２のピストン
５３  第１の三方弁
５８  第２の三方弁
６０  補水タンク
【図１】
2020005783.tif 000003
【図２】
2020005783.tif 000004
【図３】
2020005783.tif 000005
【図４】
2020005783.tif 000006
【図５】
2020005783.tif 000007
【図６】
2020005783.tif 000008
【図７】
2020005783.tif 000009